(57)【要約】  ファンケーシング（５４）は、ファンを収容する。前パネルは、装置の筐体の一部を構成するとともに、ファンにより送風される気体が流れる上流風路の壁面の一部を構成する。ファンケーシング（５４）に、前パネルへ向かって延びる壁部材と支持部材とが取り付けられている。壁部材は、上流風路の壁面の他の一部を構成する。支持部材は、送風路の外部に配置されている。側方吸音材（７２）は、前パネルと支持部材とにより挟まれ支持されている。
2019038949.tif 000002
【特許請求の範囲】
【請求項１】
気体を送風するファンと、
前記ファンを収容するファンケーシングと、
装置の外筐の一部を構成するとともに前記ファンにより送風される気体の送風路の壁面の一部を構成する外郭部材と、
前記ファンケーシングに取り付けられ、前記外郭部材へ向かって延び、前記送風路の壁面の他の一部を構成する壁部材と、
前記ファンケーシングに取り付けられ、前記外郭部材へ向かって延び、前記送風路の外部に配置された支持部材と、
前記外郭部材と前記支持部材とにより挟まれ支持された吸音材とを備える、送風装置。
【請求項２】
前記吸音材は、前記外郭部材と前記壁部材とにより挟まれ支持されている、請求項１に記載の送風装置。
【請求項３】
前記ファンを回転駆動する電動機を備え、
前記送風装置の上部に気体の吹出口が形成されており、
前記吸音材は、前記電動機より上方に配置された部分を有している、請求項１または２に記載の送風装置。
【請求項４】
前記吸音材より下方に配置され、水を貯留するトレイと、
前記吸音材より上方に配置された回路部品とを備える、請求項１〜３のいずれか１項に記載の送風装置。
【請求項５】
前記ファンケーシングは、前記外郭部材に向き合う対向面を有し、前記対向面に前記ファンへの吸気口が形成されており、
前記対向面と前記外郭部材との間の、前記吸気口へ向かう気体の流れ方向における前記吸気口よりも上流側に、前記吸気口の周縁に沿って互いに間隔を空けて並べられた複数のリブを備える、請求項１〜４のいずれか１項に記載の送風装置。
【請求項６】
前記複数のリブは、前記ファンケーシングに取り付けられ、前記外郭部材へ向かって延びている、請求項５に記載の送風装置。
【請求項７】
前記複数のリブは、前記流れ方向の上流端に近づくに従って厚みが小さくなり、かつ、前記流れ方向の下流端に近づくに従って厚みが小さくなる、請求項５または６に記載の送風装置。
【請求項８】
前記複数のリブは、第１リブ群に含まれる複数の第１リブと、前記第１リブ群よりも前記吸気口の近くに配置された第２リブ群に含まれる複数の第２リブとを含み、
前記複数の第１リブは、前記吸気口の周縁に沿って互いに間隔を空けて並べられ、
前記複数の第２リブは、前記吸気口の周縁に沿って互いに間隔を空けて並べられ、
前記第２リブは、隣り合う２つの前記第１リブの間に配置されている、請求項５〜７のいずれか１項に記載の送風装置。
【請求項９】
前記第１リブの前記流れ方向の下流端における側面と、前記第２リブの前記流れ方向の上流端における側面とは、互いに向き合っている、請求項８に記載の送風装置。
【請求項１０】
前記第１リブの前記流れ方向の下流端における側面が前記第１リブの延在方向に対して傾斜する角度は３０°以下であり、
前記第２リブの前記流れ方向の上流端における側面が前記第２リブの延在方向に対して傾斜する角度は３０°以下である、請求項９に記載の送風装置。
【請求項１１】
前記第１リブ群に含まれる複数の前記第１リブは、その延在方向が互いに平行であるように配置されている、請求項１０に記載の送風装置。
【請求項１２】
前記第２リブ群は、回転する前記ファンの径方向に対して前記第１リブが傾斜する角度よりも前記径方向に対して傾斜する角度が小さい前記第２リブを有する、請求項１１に記載の送風装置。
【発明の詳細な説明】
【技術分野】
【０００１】
本開示は、送風装置に関する。本出願は、２０１７年８月２２日に出願した日本特許出願である特願２０１７−１５９３７３号に基づく優先権を主張する。当該日本特許出願に記載された全ての記載内容は、参照によって本明細書に援用される。
【背景技術】
【０００２】
従来の送風装置に関し、特開平８−２６１４９８号公報（特許文献１）には、無数の小孔を有する板材で形成したファンケーシングの外表面に吸音材を貼着する構成によって、送風機の低騒音化が図れることが開示されている。
【先行技術文献】
【特許文献】
【０００３】
【特許文献１】特開平８−２６１４９８号公報
【発明の概要】
【発明が解決しようとする課題】
【０００４】
上記文献に記載の送風装置では、送風機の前方に配置された吸込みパネルに、空気を吸引する空気吸入口が形成されている。送風機の前方が開口しているため、送風機起因の騒音が送風装置の外部に伝わりやすい。それゆえに、上記文献に記載の送風装置では低騒音化が必ずしも十分とはいえず、更なる改良の余地がある。【０００５】
本開示では、騒音を低減できる送風装置が提供される。
【課題を解決するための手段】
【０００６】
本開示に従うと、ファンと、ファンケーシングと、外郭部材と、壁部材と、支持部材と、吸音材とを備える、送風装置が提供される。ファンは、気体を送風する。ファンケーシングは、ファンを収容している。外郭部材は、装置の外筐の一部を構成するとともに、ファンにより送風される気体の送風路の壁面の一部を構成している。壁部材および支持部材は、ファンケーシングに取り付けられており、外郭部材へ向かって延びている。壁部材は、送風路の壁面の他の一部を構成している。支持部材は、送風路の外部に配置されている。吸音材は、外郭部材と支持部材とにより挟まれ支持されている。【０００７】
上記の送風装置において、吸音材は、外郭部材と壁部材とにより挟まれ支持されている。【０００８】
上記の送風装置は、ファンを回転駆動する電動機を備えている。送風装置の上部に気体の吹出口が形成されている。吸音材は、電動機より上方に配置された部分を有している。【０００９】
上記の送風装置は、吸音材より下方に配置され、水を貯留するトレイと、吸音材より上方に配置された回路部品とを備えている。【００１０】
上記の送風装置において、ファンケーシングは、外郭部材に向き合う対向面を有している。対向面に、ファンへの吸気口が形成されている。送風装置は、複数のリブを備えている。複数のリブは、対向面と外郭部材との間の、吸気口へ向かう気体の流れ方向における吸気口よりも上流側に、吸気口の周縁に沿って互いに間隔を空けて並べられている。【００１１】
上記の送風装置において、複数のリブは、ファンケーシングに取り付けられ、外郭部材へ向かって延びている。【００１２】
上記の送風装置において、複数のリブは、気体の流れ方向の上流端に近づくに従って厚みが小さくなり、かつ、気体の流れ方向の下流端に近づくに従って厚みが小さくなっている。【００１３】
上記の送風装置において、複数のリブは、第１リブ群に含まれる複数の第１リブと、第２リブ群に含まれる複数の第２リブとを含んでいる。第２リブ群は、第１リブ群よりも吸気口の近くに配置されている。複数の第１リブは、吸気口の周縁に沿って互いに間隔を空けて並べられている。複数の第２リブは、吸気口の周縁に沿って互いに間隔を空けて並べられている。第２リブは、隣り合う２つの第１リブの間に配置されている。【００１４】
上記の送風装置において、気体の流れ方向の下流端における第１リブの側面と、気体の流れ方向の上流端における第２リブの側面とは、互いに向き合っている。【００１５】
上記の送風装置において、第１リブの流れ方向の下流端における側面が第１リブの延在方向に対して傾斜する角度は３０°以下であり、第２リブの流れ方向の上流端における側面が第２リブの延在方向に対して傾斜する角度は３０°以下である。【００１６】
上記の送風装置において、第１リブ群に含まれる複数の第１リブは、その延在方向が互いに平行であるように配置されている。【００１７】
上記の送風装置において、第２リブ群は、回転するファンの径方向に対して第１リブが傾斜する角度よりも径方向に対して傾斜する角度が小さい第２リブを有している。
【発明の効果】
【００１８】
本開示に係る送風装置によれば、騒音を低減することができる。
【図面の簡単な説明】
【００１９】
【図１】実施の形態１に係る加湿空気清浄機の正面図である。
【図２】図１に示す加湿空気清浄機の左側面図である。
【図３】図１に示す加湿空気清浄機の背面図である。
【図４】図１に示す加湿空気清浄機の平面図である。
【図５】図１に示す加湿空気清浄機の内部構造を示す縦断面図である。
【図６】図１に示す加湿空気清浄機の内部構造を示す斜視図である。
【図７】前パネルの斜視図である。
【図８】前パネルに対する吸音材の配置を示す図である。
【図９】ファンケーシングに対する吸音材の配置を示す図である。
【図１０】ファンケーシングの構成の詳細を示す正面図である。
【図１１】図１０に示す領域ＸＩを拡大して示す図である。
【図１２】実施の形態２に係る吸音材の前パネルに対する配置を示す図である。
【図１３】実施の形態２に係る吸音材のファンケーシングに対する配置を示す図である。
【図１４】実施の形態３に係る縦リブを示す斜視図である。
【図１５】高圧発生ユニットの構成を示す斜視図である。
【図１６】下流風路内の気体の流れを示す模式図である。
【図１７】実施の形態４に係る下流風路内の構成を示す斜視図である。
【図１８】実施の形態４に係る下流風路内の構成を示す斜視図である。
【図１９】ベーンの構成の詳細を示す斜視図である。
【図２０】実施の形態５に係る下流風路内の構成を側方から見た図である。
【発明を実施するための形態】
【００２０】
実施の形態について、以下、図面を参照しながら説明する。同一の部品および相当部品には同一の参照番号を付し、重複する説明は繰り返さない場合がある。
【００２１】
実施の形態においては、送風装置の一例として、加湿空気清浄機１について説明する。送風装置は加湿空気清浄機１に限られず、たとえば、加湿機能を有しない空気清浄機、イオン発生機、空気調和機、換気装置、乾燥機、除湿器、ファンヒータまたはその他の機器であってもよい。送風装置は、家屋の室内、ビルの一室、または病院の病室などの空気を調節するために、好適に用いることができる。送風装置は、室内の適所で床上に置かれて使用される。
【００２２】
（実施の形態１）
図１は、実施の形態１に係る加湿空気清浄機１の正面図である。図２は、図１に示す加湿空気清浄機１の左側面図である。図３は、図１に示す加湿空気清浄機１の背面図である。図４は、図１に示す加湿空気清浄機１の平面図である。まず、実施の形態１に係る加湿空気清浄機１の全体構成について説明する。
【００２３】
図１〜４に示すように、加湿空気清浄機１は、装置の外筐をなす筐体２を備えている。筐体２は、前面２Ａと、前面２Ａとは反対側の背面２Ｂと、前面２Ａおよび背面２Ｂをつなぐ右側面２Ｃと、前面２Ａおよび背面２Ｂをつなぐとともに右側面２Ｃとは反対側の左側面２Ｄとを有している。筐体２は、上面２Ｅを有している。筐体２は、全体としてほぼ直方体状の形状を有し、直方体を垂直に立てたような外形を有している。
【００２４】
筐体２の前面２Ａの上部には、前吹出し口３が形成されている。上面２Ｅには、後吹出し口４が形成されている。前吹出し口３および後吹出し口４は、加湿空気清浄機１から空気が外部に吹き出る開口である。加湿空気清浄機１の上部に、加湿空気清浄機１から吹き出る空気の吹出口が形成されている。
【００２５】
前吹出し口３には、前ルーバー７が配置されている。前ルーバー７は、手動または自動で移動可能に設けられている。前ルーバー７は、その位置を変えることにより、前吹出し口３から吹き出る空気の流れ方向を変更（調整）することが可能に、設けられている。
【００２６】
後吹出し口４には、後ルーバー８が配置されている。後ルーバー８は、手動または自動で移動可能に設けられている。後ルーバー８は、後吹出し口４を閉じる位置に配置可能である。後ルーバー８は、後吹出し口４を閉じる位置から任意の角度開いた状態で停止可能である。後ルーバー８は、後吹出し口４を開閉可能、および、後吹出し口４から吹き出る空気の流れ方向を変更（調整）することが可能に、設けられている。加湿空気清浄機１の停止中には上方に開口する後吹出し口４を閉じるように後ルーバー８を移動させることができ、これにより後吹出し口４からの筐体２内部への埃および異物の侵入が抑制される。
【００２７】
筐体２の上面２Ｅには、操作部５が設けられている。操作部５は、複数の操作ボタンを有している。加湿空気清浄機１のユーザは、操作部５の操作ボタンを適宜押すことで、加湿空気清浄機１の運転、停止、風量切替などの操作を行なうことができる。操作部５はまた、加湿空気清浄機１の運転状態をユーザに通知するための通知部を有している。通知部は、たとえば複数の表示ランプを有しており、表示ランプの点灯および消灯によって加湿空気清浄機１の運転状態を視覚的にユーザに通知することができる。
【００２８】
筐体２の前面２Ａは、前パネル１０によって構成されている。前パネル１０は、加湿空気清浄機１の外筐の一部を構成している。前パネル１０の構成の詳細は後述する。
【００２９】
筐体２の背面２Ｂには、開口が形成されており、この開口を塞ぐように後パネル２０が取り付けられている。後パネル２０には複数の通気口２１が形成されている。通気口２１は、略平板状の後パネル２０を厚み方向に貫通して形成されている。通気口２１は、加湿空気清浄機１の筐体２の内部へ外部の空気を導入するための小孔である。後パネル２０には窪み部２２が形成されている。加湿空気清浄機１のユーザは、窪み部２２に手指を挿し入れて後パネル２０を後方へ引くことにより、後パネル２０を筐体２の背面２Ｂから取り外すことができる。
【００３０】
筐体２の右側面２Ｃには、窪み部２４が形成されている。筐体２の左側面２Ｄには、窪み部２５が形成されている。加湿空気清浄機１のユーザは、片手の指を窪み部２４に挿し入れ、同時に他の片手の指を窪み部２５に挿し入れて、筐体２を持ち上げることができる。これにより、加湿空気清浄機１を床上から離れた位置に移動させ、室内の適所へ加湿空気清浄機１を容易に移動することができる。
【００３１】
筐体２の左側面２Ｄには、カバー２６が設けられている。カバー２６は、左側面２Ｄから取り外し可能に形成されている。カバー２６を取り外した状態で、後述する高圧発生ユニット１００の、加湿空気清浄機１からの取り外しまたは加湿空気清浄機１への取り付けが可能になる。加湿空気清浄機１の下部には、貯水トレイ３０が配置されている。貯水トレイ３０は、左側面２Ｄから左方向に取り外しが可能に構成されている。
【００３２】
図５は、図１に示す加湿空気清浄機１の内部構造を示す縦断面図である。図５には、側方（左方）から見た加湿空気清浄機１の断面が図示されている。
【００３３】
図５に示すように、後パネル２０の前方に、フィルタ４１が配置されている。フィルタ４１は、微細な集塵を捕集するとともに空気中の臭い成分を吸着する集塵・脱臭一体型のフィルタである。一体のフィルタ４１に替えて、集塵フィルタと脱臭フィルタとを別体に構成して、互いに重ねて配置してもよい。
【００３４】
フィルタ４１は、筐体２の内部に収容されており、後パネル２０によって後方を覆われている。後パネル２０を取り外すことにより、フィルタ４１に容易にアクセス可能な配置とされている。これにより、フィルタ４１の清掃または交換などのメンテナンス作業が容易になっている。
【００３５】
フィルタ４１の前方、すなわちフィルタ４１よりも筐体２の内部に、中空の下降風路１５０が形成されている。
【００３６】
貯水トレイ３０は、トレイ本体３１を有している。トレイ本体３１は、容器状の形状を有しており、その内部に水を貯留する。トレイ本体３１の内部に、加湿フィルタ３２、抗菌剤３３、およびフロート３４が配置されている。
【００３７】
加湿フィルタ３２は、吸水性および通気性を有している。加湿フィルタ３２は、その下部がトレイ本体３１内に貯留された水に浸漬されている。加湿フィルタ３２は、その上部が水面から上方に突き出しており、空気中に配置されている。加湿フィルタ３２は、トレイ本体３１内の水に浸漬された浸水部を下部に有し、水に浸漬されない非浸水部を上部に有している。
【００３８】
加湿フィルタ３２は、毛細管現象によりトレイ本体３１内の水を吸い上げて、全体が水分を含んだ状態になる。加湿フィルタ３２の上部の非浸水部は、水に浸漬されないが、下部の浸水部から水を吸い上げることにより、トレイ本体３１内の貯水量に関わらず非浸水部を含む加湿フィルタ３２の全体に水分が行き渡る。
【００３９】
抗菌剤３３は、トレイ本体３１内に貯留された水に浸漬されている。抗菌剤３３は、抗菌成分を含んでいる。トレイ本体３１内に貯留された水に抗菌成分が溶解することにより、トレイ本体３１内の水および加湿フィルタ３２における細菌またはカビの発生を抑制する、抗菌機能が発揮される。
【００４０】
フロート３４は、トレイ本体３１内の水位の変動に伴って浮動する。フロート３４は、トレイ本体３１内の水位を検知する水位センサを構成している。フロート３４はたとえば磁石を内蔵している。水位センサで検知されたトレイ本体３１内の水位に基づいて、加湿空気清浄機１の運転が制御される。
【００４１】
筐体２内に、送風機５０が配置されている。貯水トレイ３０は、送風機５０の下方に配置されている。送風機５０は、フィルタ４１から離隔して、フィルタ４１の前方に配置されている。下降風路１５０は、前後方向において送風機５０とフィルタ４１との間に形成されている。
【００４２】
送風機５０は、気体を送風するファン５２と、ファン５２を回転駆動する電動機としてのファンモータ５３と、ファン５２およびファンモータ５３を収容するファンケーシング５４とを有している。ファンケーシング５４は、前パネル１０に向き合う対向面５６を有している。対向面５６は、前パネル１０と離隔して配置されている。
【００４３】
前パネル１０と、ファンケーシング５４の対向面５６との間に、ファン５２へ流れる空気が流れる通路である中空の上流風路１６０が形成されている。上流風路１６０は、ファン５２によって送風される空気が流れる通路において、ファン５２よりも上流側の通路の一部を構成している。前パネル１０は、ファン５２により送風される気体の送風路である上流風路１６０の壁面の一部を構成している。
【００４４】
ファンケーシング５４の対向面５６には、複数のリブ８０が取り付けられている。リブ８０は、ファンケーシング５４の対向面５６と前パネル１０との間に配置されている。リブ８０は、ファンケーシング５４の対向面５６から前パネル１０へ向かって前方へ延びている。
【００４５】
ファン５２から流出する空気が流れる通路である下流風路１７０が、ファン５２の上方に形成されている。下流風路１７０は、ファン５２によって送風される空気が流れる通路において、ファン５２よりも下流側の通路の一部を構成している。分岐部１８０において、空気の通路が、前吹出し口３につながる前方風路１８３と、後吹出し口４につながる後方風路１８４とに、二つに分岐している。前吹出し口３は、前方風路１８３の上端に設けられている。後吹出し口４は、後方風路１８４の上端に設けられている。前吹出し口３と後吹出し口４とは、ファン５２によって送風される空気の流れの下流端に設けられている。
【００４６】
下流風路１７０には、高圧発生ユニット１００が配置されている。高圧発生ユニット１００は、下流風路１７０の壁面から下流風路１７０内に突出している。高圧発生ユニット１００は、放電によりイオンなどの活性種を発生する。これにより、高圧発生ユニット１００を通過して流れる空気中に、活性種が含まれる。
【００４７】
フィルタ４１を通過して筐体２の内部に流入した空気は、下降風路１５０を経由して、加湿空気清浄機１の下方に設けられた貯水トレイ３０へと送風される。吸水した加湿フィルタ３２を空気が通過することにより、空気が加湿される。その後、加湿された空気が、送風機５０へと送風される。ファン５２の回転により空気が通流される。下流風路１７０において、空気中に活性種が含まれる。そして、前吹出し口３および後吹出し口４から、加湿されかつ活性種を含む空気が、外部（室内）に放出される。
【００４８】
図６は、図１に示す加湿空気清浄機１の内部構造を示す斜視図である。前パネル１０は加湿空気清浄機１から取り外し可能に構成されておらず、組み立てられた状態の加湿空気清浄機１から前パネル１０のみを取り外すことは実際にはできないが、説明の便宜上、図６には、左前方から斜視した加湿空気清浄機１に前パネル１０が取り付けられていない構成が図示されている。
【００４９】
貯水トレイ３０よりも前方の、左右方向における中央部には、フロート位置検知基板９１が配置されている。フロート位置検知基板９１は、前後方向において貯水トレイ３０と隣り合う位置に配置された回路基板を構成している。フロート位置検知基板９１は、たとえばホールＩＣを有して構成されている。フロート位置検知基板９１は、トレイ本体３１内のフロート３４の高さ位置を検知することにより、トレイ本体３１内の水位を検知する。フロート位置検知基板９１は、フロート３４とともに、トレイ本体３１内の水位を検知する水位センサを構成している。
【００５０】
フロート位置検知基板９１よりも右方に、補強用の右リブ９２が配置されている。右リブ９２は、フロート位置検知基板９１と同様に、貯水トレイ３０の前方に配置されている。フロート位置検知基板９１と右リブ９２とは、トレイ本体３１の前縁部分に沿って並んで配置されている。右リブ９２は、右方に向かうにつれて、すなわちフロート位置検知基板９１から離れるにつれて、上下方向の位置が低くなるように、上下方向に対して傾斜している。右リブ９２は、右下がりに傾斜している。
【００５１】
フロート位置検知基板９１よりも左方に、補強用の左リブ９３が配置されている。左リブ９３は、フロート位置検知基板９１と同様に、貯水トレイ３０の前方に配置されている。フロート位置検知基板９１と左リブ９３とは、トレイ本体３１の前縁部分に沿って並んで配置されている。左リブ９３は、左方に向かうにつれて、すなわちフロート位置検知基板９１から離れるにつれて、上下方向の位置が低くなるように、上下方向に対して傾斜している。左リブ９３は、左下がりに傾斜している。
【００５２】
右リブ９２を支持して強度を向上させるための縦リブ９４が、上下方向に延びて配置されている。右リブ９２が傾斜しているため、右リブ９２と縦リブ９４とは直交しておらず、直角からわずかに外れた角度を形成している。左リブ９３を支持して強度を向上させるための縦リブ９４が、上下方向に延びて配置されている。左リブ９３が傾斜しているため、左リブ９３と縦リブ９４とは直交しておらず、直角からわずかに外れた角度を形成している。
【００５３】
ファンケーシング５４の対向面５６には、ファン５２への吸気口５７が形成されている。正面視した吸気口５７は、略円状の形状を有している。ファンケーシング５４の対向面５６に取り付けられた複数のリブ８０は、吸気口５７の周縁に沿って、互いに間隔を空けて並べられている。複数のリブ８０は、吸気口５７へ向かう気体の流れ方向における吸気口５７よりも上流側に、配置されている。
【００５４】
複数のリブ８０は、第１リブ群８１と、第２リブ群８６とを有している。第２リブ群８６は、第１リブ群８１よりも吸気口５７の近くに配置されている。第１リブ群８１に含まれる複数のリブ（後述する第１リブ８２）は、吸気口５７の周縁に沿って、互いに間隔を空けて並べられている。第２リブ群８６に含まれる複数のリブ（後述する第２リブ８７）は、吸気口５７の周縁に沿って、互いに間隔を空けて並べられている。吸気口５７へ向かう空気の流れ方向において、第１リブ群８１が上流側に配置されており、第２リブ群８６が下流側に配置されている。
【００５５】
吸気口５７へ向かう空気が流れる通路（図５に示す上流風路１６０）は、前パネル１０と、上方壁部材６１と、側方壁部材６２，６８とによって規定されている。上方壁部材６１および側方壁部材６２，６８は、ファン５２により送風される気体の送風路である上流風路１６０の壁面の一部を構成している。
【００５６】
上方壁部材６１は、吸気口５７に対して上方に配置されている。側方壁部材６２，６８は、吸気口５７に対して側方に配置されている。側方壁部材６２は、吸気口５７の左方に配置されている。側方壁部材６８は、吸気口５７の右方に配置されている。吸気口５７から離れた位置に上方壁部材６１および側方壁部材６２，６８が配置されていることにより、吸気口５７の周囲の全体から吸気口５７に空気を取り込む構造とされている。
【００５７】
上方壁部材６１および側方壁部材６２，６８は、ファンケーシング５４に取り付けられている。上方壁部材６１および側方壁部材６２，６８は、ファンケーシング５４の対向面５６に対して前方に延びている。上方壁部材６１および側方壁部材６２，６８は、図６には図示しない前パネル１０に向かって延びている。ファン５２の前方に、前パネル１０、上方壁部材６１および側方壁部材６２，６８によって規定される風路が規定され、この風路を通って下方にある貯水トレイ３０からの空気を取り込む構造とされている。
【００５８】
ファンケーシング５４にはさらに、支持部材６３と補強部６４とが取り付けられている。支持部材６３および補強部６４は、ファンケーシング５４の対向面５６に対して前方に延びている。支持部材６３および補強部６４は、図６には図示しない前パネル１０に向かって延びている。補強部６４は、支持部材６３と交差して配置されている。支持部材６３が補強部６４と一体の構造を形成することにより、支持部材６３の強度が向上している。
【００５９】
支持部材６３および補強部６４は、上流風路１６０の左方の壁面の一部を構成している側方壁部材６２よりも、左方に配置されている。支持部材６３および補強部６４は、上流風路１６０の外部に配置されている。支持部材６３および補強部６４は、吸気口５７へ向かう空気が流れる通路（図５に示す上流風路１６０）を規定しない。支持部材６３および補強部６４は、上流風路１６０を規定する部材である上方壁部材６１および側方壁部材６２，６８とは別に設けられている。
【００６０】
ファン５２の上方に、電源用基板９０と、イオン量検知基板１２０とが配置されている。電源用基板９０とイオン量検知基板１２０とは、上方壁部材６１よりも上方に配置されている。電源用基板９０とイオン量検知基板１２０とは、回路部品を構成している。
【００６１】
図７は、前パネル１０の斜視図である。図７に示すように、前パネル１０の、加湿空気清浄機１に取り付けられた状態で前面２Ａを構成する部分に、切欠き１３が形成されている。前パネル１０の、加湿空気清浄機１に取り付けられた状態で右側面２Ｃを構成する部分に、切欠き１４が形成されている。前パネル１０の、加湿空気清浄機１に取り付けられた状態で左側面２Ｄを構成する部分に、切欠き１５，１９および開口１６が形成されている。
【００６２】
切欠き１３は、前吹出し口３を形成する。切欠き１４は、窪み部２４に対応して形成されている。切欠き１５は、窪み部２５に対応して形成されている。開口１６は、カバー２６に対応して形成されている。切欠き１９は、貯水トレイ３０に対応して形成されている。
【００６３】
図８は、前パネル１０に対する吸音材７０の配置を示す図である。図８には、後方から見た前パネル１０が図示されている。吸音材７０は、前パネル１０の後面に貼り付けられている。吸音材７０は、上方吸音材７１と、側方吸音材７２とを有している。
【００６４】
図９は、ファンケーシング５４に対する吸音材７０の配置を示す図である。図９には、説明の便宜上、前方から正面視した加湿空気清浄機１に前パネル１０が取り付けられていない構成が図示されている。上方吸音材７１は、ファンモータ５３より上方に配置されている。電源用基板９０およびイオン量検知基板１２０は、吸音材７０よりも上方に配置されている。図６を併せて参照して、貯水トレイ３０は、吸音材７０よりも下方に配置されている。
【００６５】
図６，９に示すように、側方吸音材７２は、支持部材６３に沿って配置されている。支持部材６３の先端が、側方吸音材７２に当接している。側方吸音材７２は、前パネル１０と支持部材６３との間に挟まれている。側方吸音材７２は、前パネル１０と支持部材６３とによって挟まれて支持されている。上方吸音材７１は、上方壁部材６１に沿って配置されている。上方壁部材６１の先端が、上方吸音材７１に当接している。上方吸音材７１は、前パネル１０と上方壁部材６１との間に挟まれている。上方吸音材７１は、前パネル１０と上方壁部材６１とによって挟まれて支持されている。
【００６６】
図１０は、ファンケーシング５４の構成の詳細を示す正面図である。図１０に示すように、複数のリブ８０は、第１リブ群８１に含まれる複数の第１リブ８２と、第２リブ群８６に含まれる複数の第２リブ８７とを含んでいる。図１０に示す中心Ｃは、回転するファン５２およびファンモータ５３の回転中心を示している。回転するファン５２およびファンモータ５３の回転中心は、図１０の紙面垂直方向に延びている。回転体であるファン５２およびファンモータ５３の径方向は、回転中心に直交する面が図示されている図１０においては、紙面上の中心Ｃを通る直線の延びる方向である。
【００６７】
複数の第１リブ８２は全て、図中の上下方向に平行に延びている。複数の第１リブ８２は、その延在方向が互いに平行であるように配置されている。
【００６８】
吸気口５７の周縁に沿って並べられている複数の第２リブ８７の列のうち、中央付近の第２リブ８７は、第１リブ８２と同様に図中の上下方向に延びている。吸気口５７の周縁に沿って並べられている複数の第２リブ８７の列のうち、端にある第２リブ８７は、図中の上下方向に対して傾斜して延びている。これら端にある第２リブ８７は、第１リブ８２に対して非平行に延びており、その延在方向とファン５２の径方向とのなす角度が、第１リブ８２の延在方向とファン５２の径方向とのなす角度よりも小さい。吸気口５７の周縁に沿って並べられている複数の第１リブ８２および第２リブ８７の列のうち端にあるものを比較すると、第２リブ８７がファン５２の径方向に対して傾斜する角度は、第１リブ８２がファン５２の径方向に対して傾斜する角度よりも、小さくなっている。
【００６９】
図１１は、図１０に示す領域ＸＩを拡大して示す図である。図１１に示すように、複数の第１リブ８２は、吸気口５７の周縁に沿って、互いに間隔を空けて並べられている。隣り合う２つの第１リブ８２の間に、隙間８３が形成されている。複数の第２リブ８７は、吸気口５７の周縁に沿って、互いに間隔を空けて並べられている。隣り合う２つの第２リブ８７の間に、隙間８８が形成されている。
【００７０】
吸気口５７へ向かう空気の流れ方向において、第１リブ８２が上流側に配置されており、第２リブ８７が下流側に配置されている。第２リブ８７は、第１リブ８２間の隙間８３の下流側に配置されている。第１リブ８２は、第２リブ８７間の隙間８８の上流側に配置されている。
【００７１】
吸気口５７の周縁に沿って並べられている複数の第１リブ８２のうちの、隣り合う２つの第１リブ８２の間に、第２リブ８７が配置されている。吸気口５７の周縁に沿って並べられている複数の第２リブ８７のうちの、隣り合う２つの第２リブ８７の間に、第１リブ８２が配置されている。第１リブ８２と第２リブ８７とは、吸気口５７の周縁の延びる方向において、交互に配置されている。第１リブ８２と第２リブ８７とは、吸気口５７の周縁の延びる方向において、互いにずれた位置に配置されている。
【００７２】
第１リブ８２は、吸気口５７へ向かう空気の流れ方向における上流端８２Ａと下流端８２Ｂとを有している。第１リブ８２の厚みは、上流端８２Ａに近づくに従って小さくなっており、かつ、下流端８２Ｂに近づくに従って小さくなっている。第１リブ８２は、吸気口５７へ向かう空気の流れ中に配置された、翼状形状を有している。
【００７３】
第２リブ８７は、吸気口５７へ向かう空気の流れ方向における上流端８７Ａと下流端８７Ｂとを有している。第２リブ８７の厚みは、上流端８７Ａに近づくに従って小さくなっており、かつ、下流端８７Ｂに近づくに従って小さくなっている。第２リブ８７は、吸気口５７へ向かう空気の流れ中に配置された、翼状形状を有している。
【００７４】
第２リブ８７は、第１リブ８２よりも吸気口５７の近くに配置されている。回転するファン５２の径方向において、第１リブ８２の下流端８２Ｂと、第２リブ８７の上流端８７Ａとは、ほぼ同じ位置に配置されている。第１リブ８２の下流端８２Ｂと図１０に示す中心Ｃとの距離と、第２リブ８７の上流端８７Ａと図１０に示す中心Ｃとの距離とは、ほぼ等しく設定されている。第２リブ８７の上流端８７Ａが第１リブ８２の下流端８２Ｂよりも吸気口５７の近くに配置されていてもよい。
【００７５】
第１リブ８２は、ファンケーシング５４の対向面５６から突き出る形状を有しており、側面８４を有している。第２リブ８７は、ファンケーシング５４の対向面５６から突き出る形状を有しており、側面８９を有している。側面８４，８９は、対向面５６にほぼ垂直に延びている。側面８４，８９は、第１リブ８２および第２リブ８７の根元部分よりも先端部分の方が厚みがより小さくなるように、対向面５６に垂直な面に対して傾斜して延びていてもよい。
【００７６】
第１リブ８２の下流端８２Ｂにおける側面８４と、第２リブ８７の上流端８７Ａにおける側面８９とは、互いに向き合っている。第１リブ８２の下流端８２Ｂにおける側面８４と、第２リブ８７の上流端８７Ａにおける側面８９とは、ほぼ平行に配置されている。第１リブ８２の下流端８２Ｂにおける側面８４と対向面５６とが交差する直線と、当該側面８４に向き合う第２リブ８７の側面８９と対向面５６とが交差する直線とは、平行に延びている。
【００７７】
上述した通り、第１リブ８２は、下流端８２Ｂに近づくに従って厚みが小さくなる。第１リブ８２の下流端８２Ｂにおける側面８４は、第１リブ８２の延在方向に対して傾斜して延びている。第１リブ８２の下流端８２Ｂにおける側面８４が第１リブ８２の延在方向に対して傾斜する角度は、３０°以下に設定されている。第２リブ８７は、上流端８７Ａに近づくに従って厚みが小さくなる。第２リブ８７の上流端８７Ａにおける側面８９は、第２リブ８７の延在方向に対して傾斜している。第２リブ８７の上流端８７Ａにおける側面８９が第２リブ８７の延在方向に対して傾斜する角度は、３０°以下に設定されている。
【００７８】
（実施の形態２）
図１２は、実施の形態２に係る吸音材７０の前パネル１０に対する配置を示す図である。図１３は、実施の形態２に係る吸音材７０のファンケーシング５４に対する配置を示す図である。実施の形態２の加湿空気清浄機１は、実施の形態１と比較してより大面積の吸音材７０を備えている。
【００７９】
図７，８に示す実施の形態１では、吸音材７０がファンケーシング５４の吸気口５７に対して上方および側方にのみ設けられており、ファンモータ５３と前パネル１０との間に吸音材７０は介在していない。これに対し、実施の形態２では、吸音材７０がファンケーシング５４の吸気口５７を覆って配置されており、ファンモータ５３と前パネル１０との間に吸音材７０が介在している。
【００８０】
図１３に示す前方から見た吸音材７０は、支持部材６３を覆っており、かつ上方壁部材６１を覆っている。実施の形態２においても、吸音材７０は、前パネル１０と支持部材６３とにより挟まれ支持されており、かつ、前パネル１０と上方壁部材６１とにより挟まれ支持されている。吸音材７０の上縁付近は、ファンモータ５３より上方に配置されている。貯水トレイ３０は吸音材７０よりも下方に配置されており、電源用基板９０およびイオン量検知基板１２０は吸音材７０よりも上方に配置されている。
【００８１】
（実施の形態３）
図１４は、実施の形態３に係る縦リブ９４を示す斜視図である。図１４に示すように、実施の形態３の縦リブ９４には、右リブ９２と交差する部分の右リブ９２よりも上方に、切欠き９５が形成されている。補強用に設ける縦リブ９４と右リブ９２との交点において、上下方向のリブの交点上側に、切欠き９５が形成されている。
【００８２】
図示しないが、左リブ９３と交差する縦リブ９４にもまた、左リブ９３と交差する部分の左リブ９３よりも上方に、同様の切欠きが形成されている。
【００８３】
（実施の形態４）
実施の形態４に係る加湿空気清浄機１の説明に先立って、加湿空気清浄機１に適用される高圧発生ユニット１００の構成について説明する。図１５は、高圧発生ユニット１００の構成を示す斜視図である。
【００８４】
高圧発生ユニット１００は、ユニット筐体１０１と、放電部１０２，１０３とを備えている。放電部１０２，１０３は、略直方体状のユニット筐体１０１から突出して設けられている。放電部１０２，１０３は、放電部１０２，１０３がユニット筐体１０１から突出する方向に沿って、延在している。
【００８５】
放電部１０２，１０３は、複数の線状の導電体と、導電体を束ねる基部とを有している。線状には、糸状、繊維状、針金状が含まれる。導電体は、導電性の材料で形成されている。導電体はたとえば、金属、カーボン繊維、導電性繊維、または導電性樹脂で形成されてもよい。導電体は、ユニット筐体１０１に近い側の基端部と、ユニット筐体１０１から離れる側の先端部を有している。複数の導電体の先端部は、ブラシ状に形成されている。放電部１０２，１０３は、ユニット筐体１０１から突出する方向を長手方向とするブラシ状の電極である。
【００８６】
放電部１０２，１０３は、電圧が印加されて放電して、イオン、電子、ラジカル、およびオゾンなどの活性種を発生する。放電部１０２は、たとえば、正イオンを発生させるための放電電極である。放電部１０３は、たとえば、負イオンを発生させるための放電電極である。放電部１０２は、高電圧が印加されて放電することにより、正イオンを発生する。放電部１０３は、高電圧が印加されて放電することにより、負イオンを発生する。
【００８７】
正イオンは、水素イオン（Ｈ＋）の周囲に複数の水分子がクラスター化したクラスターイオンであり、Ｈ＋（Ｈ２Ｏ）ｍ（ｍは０以上の任意の整数）と表わされる。負イオンは、酸素イオン（Ｏ２−）の周囲に複数の水分子がクラスター化したクラスターイオンであり、Ｏ２−（Ｈ２Ｏ）ｎ（ｎは０以上の任意の整数）と表わされる。正イオンおよび負イオンを室内に放出すると、両イオンが空気中を浮遊するカビ菌やウィルスの周りを取り囲み、その表面上で互いに化学反応を起こす。その際に生成される活性種の水酸化ラジカル（・ＯＨ）の作用により、浮遊カビ菌などが除去される。
【００８８】
高圧発生ユニット１００は、放電部１０２，１０３の先端を保護する電極保護部１０４，１０６を備えている。電極保護部１０４と電極保護部１０６とは、互いに間隔を設けて配置されている。電極保護部１０４，１０６は、放電部１０２，１０３に外部の物体が直接接触することを防止するために、放電部１０２，１０３に隣り合って設けられている。電極保護部１０４と電極保護部１０６との間に、放電部１０２，１０３が配置されている。電極保護部１０４と電極保護部１０６とは、放電部１０２，１０３を挟んでいる。
【００８９】
電極保護部１０４，１０６は、ユニット筐体１０１と一体に成形されており、ユニット筐体１０１から突出している。電極保護部１０４，１０６は、放電部１０２，１０３よりも、ユニット筐体１０１から大きく突出している。
【００９０】
電極保護部１０４は、梁部１０５Ａと、支柱１０５Ｂ〜１０５Ｄを有している。支柱１０５Ｂ〜１０５Ｄは、ユニット筐体１０１から垂直に突出している。支柱１０５Ｂ〜１０５Ｄの延びる方向は、放電部１０２，１０３の延びる方向と平行である。支柱１０５Ｂ〜１０５Ｄの先端に、梁部１０５Ａが結合している。梁部１０５Ａの一端に支柱１０５Ｂが結合しており、梁部１０５Ａの他端に支柱１０５Ｄが結合しており、梁部１０５Ａの中央部に支柱１０５Ｃが結合している。支柱１０５Ｂと支柱１０５Ｃとは間隔を空けて配置されており、支柱１０５Ｃと支柱１０５Ｄとは間隔を空けて配置されている。
【００９１】
電極保護部１０６は、梁部１０７Ａと、支柱１０７Ｂ〜１０７Ｄを有している。支柱１０７Ｂ〜１０７Ｄは、ユニット筐体１０１から垂直に突出している。支柱１０７Ｂ〜１０７Ｄの延びる方向は、放電部１０２，１０３の延びる方向と平行である。支柱１０７Ｂ〜１０７Ｄの先端に、梁部１０７Ａが結合している。梁部１０７Ａの一端に支柱１０７Ｂが結合しており、梁部１０７Ａの他端に支柱１０７Ｄが結合しており、梁部１０７Ａの中央部に支柱１０７Ｃが結合している。支柱１０７Ｂと支柱１０７Ｃとは間隔を空けて配置されており、支柱１０７Ｃと支柱１０７Ｄとは間隔を空けて配置されている。
【００９２】
高圧発生ユニット１００が加湿空気清浄機１の下流風路１７０（図５）に設けられた状態で高圧発生ユニット１００を通過する空気の流れる方向において、電極保護部１０４は、放電部１０２，１０３よりも上流に配置されている。電極保護部１０６は、放電部１０２，１０３よりも空気の流れの下流に配置されている。支柱１０５Ｂ〜１０５Ｄ，１０７Ｂ〜１０７Ｄは、空気の流れ方向において放電部１０２，１０３と重ならない位置に配置されている。梁部１０５Ａ，１０７Ａは、空気の流れ方向に直交する方向に延びている。
【００９３】
高圧発生ユニット１００のユニット筐体１０１は、ホルダ１１０によって保持されている。ユニット筐体１０１は、ホルダ１１０に装着可能である。ユニット筐体１０１は、ホルダ１１０に対し、自在に取り付けまたは取り外し可能に構成されている。
【００９４】
ホルダ１１０は、ホルダ受部１３０に取り付けられている。ホルダ１１０は、ホルダ受部１３０に自在に取り付けまたは取り外し可能に構成されている。ホルダ受部１３０は、加湿空気清浄機１の筐体２（図１〜５）に取り付けられており、筐体２の内部に収容されている。
【００９５】
図６，９に示すイオン量検知基板１２０は、ホルダ受部１３０に取り付けられている。イオン量検知基板１２０は、放電部１０２，１０３が発生する磁界を検知することにより、放電により発生する活性種（イオン）の濃度を検知する。イオン量検知基板１２０は、活性種（イオン）の濃度を精度よく測定できるように、放電部１０２，１０３の近傍に配置されている。
【００９６】
ホルダ受部１３０には、挿通口が形成されている。ホルダ１１０は、挿通口を経由してホルダ受部１３０内に挿し込まれることにより、ホルダ受部１３０に取り付けられる。挿通口は、カバー２６（図２，６）に覆われている。筐体２にカバー２６が取り付けられている状態では、ホルダ受部１３０およびホルダ１１０はカバー２６に覆われて外部に露出しない。筐体２からカバー２６が取り外されることにより、ホルダ受部１３０の挿通口が外部に露出し、この挿通口を経由してホルダ１１０およびユニット筐体１０１をホルダ受部１３０に取り付けまたはホルダ受部１３０から取り外すことが可能になる。
【００９７】
図６，９に示されるように、ホルダ１１０およびユニット筐体１０１がホルダ受部１３０に挿し入れられる方向は、加湿空気清浄機１の左右方向と一致していない。ホルダ１１０およびユニット筐体１０１がホルダ受部１３０に挿し入れられる方向は、ホルダ１１０およびユニット筐体１０１がホルダ受部１３０に挿し入れられるに従って前方へ向かうように、加湿空気清浄機１の左右方向に対して傾いている。放電部１０２，１０３のうち、放電部１０３がホルダ受部１３０の挿通口から筐体２の内部により深く挿し込まれる。
【００９８】
したがって、ホルダ１１０およびユニット筐体１０１が筐体２内に収容された状態で、放電部１０２は放電部１０３よりも後方に配置され、放電部１０３は放電部１０２よりも前方に配置される。また、カバー２６は筐体２の左側面２Ｄに設けられているため、ホルダ１１０およびユニット筐体１０１が筐体２内に収容された状態で、放電部１０２は放電部１０３よりも左方に配置され、放電部１０３は放電部１０２よりも右方に配置される。
【００９９】
図１６は、下流風路１７０内の気体の流れを示す模式図である。図１６には、後方から透視した加湿空気清浄機１の筐体２の内部の一部構成が図示されている。図中の右方向が加湿空気清浄機１の右方向であり、図中の左方向が加湿空気清浄機１の左方向である。図中の矢印は、ファン５２およびファンモータ５３の回転方向を示している。
【０１００】
ファンケーシング５４は、下流風路１７０を規定する風路壁面１７２，１７４を有している（図１０も併せて参照）。風路壁面１７２，１７４は、上方へ向かうにつれて右方へ向かうように、加湿空気清浄機１の上下方向に対して傾いている。ファン５２が図１６中の時計回り方向に回転するため、ファン５２から下流風路１７０へ流入する空気は、風路壁面１７２の近傍により多く流れ込み、風路壁面１７２の近傍を流れる空気の流速が大きくなる。風路壁面１７２を上下方向に対して傾けて配置することにより、下流風路１７０内における、加湿空気清浄機１の左右方向の空気の流量および流速のアンバランスを低減し、放電部１０２，１０３を通って流れる空気の流量を増大させている。
【０１０１】
放電部１０２，１０３のうち、放電部１０２がより後方に配置され、放電部１０３がより前方に配置されている。そのため、放電部１０２で発生した正イオンが、下流風路１７０内の後方に多く流れ、放電部１０３で発生した負イオンが、下流風路１７０内の前方に多く流れる。下流風路１７０内の正負イオンの濃度に、加湿空気清浄機１の前後方向におけるアンバランスが発生する。
【０１０２】
その結果、前方風路１８３に流れ込み前吹出し口３から装置の外部に流出する空気には、負イオンが多く含まれ、後方風路１８４に流れ込み後吹出し口４から装置の外部に流出する空気には、正イオンが多く含まれる。上述した通り、加湿空気清浄機１では、正イオンおよび負イオンの化学反応によって空気中の浮遊カビ菌およびウィルスなどが除去される。そのため、空気中に含まれる正イオンと負イオンとの濃度アンバランスが大きいと、浮遊カビ菌およびウィルスなどを除去する空気清浄能力が十分に発揮されない。
【０１０３】
実施の形態４に係る加湿空気清浄機１は、このような事象を解決するためのものである。図１７および図１８は、実施の形態４に係る下流風路１７０内の構成を示す斜視図である。図１７には左後方から斜視した加湿空気清浄機１の筐体２内部の構成の一部が図示されており、図１８には左前方から斜視した加湿空気清浄機１の筐体２内部の構成の一部が図示されている。図１７および図１８に示されるように、実施の形態４に係る加湿空気清浄機１では、放電部１０２，１０３よりも前吹出し口３および後吹出し口４に近い送風経路上に、ベーン２００が設けられている。ベーン２００は、分岐部１８０に設けられている。
【０１０４】
図１９は、ベーン２００の構成の詳細を示す斜視図である。ベーン２００は、加湿空気清浄機１の左右方向に延びており、分岐部１８０に固定されている。ベーン２００は、左縁部２０１と、先端縁部２０２と、右縁部２０３とを有している。左縁部２０１の長さと右縁部２０３の長さとは等しくなく、左縁部２０１は右縁部２０３よりも長く形成されている。ベーン２００は、左右の高さが異なっている。先端縁部２０２は、上下方向に対して傾いている。左縁部２０１は、右縁部２０３よりも、分岐部１８０から下流風路１７０内に突き出る高さがより大きい。
【０１０５】
図１７に示されるように、放電部１０２，１０３は、ベーン２００よりも前方に配置されている。放電部１０２の近傍を通過して、放電部１０２で発生した正イオンを多く含む空気は、ベーン２００の左縁部２０１付近に向かって流れる。放電部１０３の近傍を通過して、放電部１０３で発生した負イオンを多く含む空気は、ベーン２００の右縁部２０３付近に向かって流れる。
【０１０６】
下流風路１７０の内壁面の前側に設けられた放電部１０２，１０３を通過しイオンを含む空気は、分岐部１８０から下流風路１７０内に突き出るベーン２００によって、後方風路１８４へ向かう流れが妨げられる。ベーン２００は、左縁部２０１付近の部分が、下流風路１７０内により長く突き出ている。そのため、放電部１０２で発生した正イオンを多く含む空気は、前方風路１８３へ空気を流入させようとするベーン２００の整流作用を、より強く受ける。一方、放電部１０３で発生した負イオンを多く含む空気が受けるベーン２００の整流作用は、相対的に小さくなる。その結果、前方風路１８３への正イオンの流入が促進され、後方風路１８４への負イオンの流入が促進される。
【０１０７】
このように、ベーン２００は、前方風路１８３と後方風路１８４とに流入する正負イオンの流量を調整する。前方風路１８３へ流入する空気中に含まれる正イオンと負イオンとの濃度アンバランスが低減され、かつ、後方風路１８４へ流入する空気中に含まれる正イオンと負イオンとの濃度アンバランスが低減される。前吹出し口３と後吹出し口４との両方から吹き出す空気に含まれる正イオンおよび負イオンの濃度を均一化できるので、加湿空気清浄機１による浮遊カビ菌およびウィルスなどの除去能力を、向上することができる。
【０１０８】
（実施の形態５）
図２０は、実施の形態５に係る下流風路１７０内の構成を側方から見た図である。実施の形態５の加湿空気清浄機１は、ベーン２００が回転軸２１０を有している点で、実施の形態４とは異なっている。実施の形態５のベーン２００は、回転軸２１０を中心に回転可能に設けられている。回転軸２１０は、下流風路１７０から前方風路１８３と後方風路１８４とが分岐する分岐部１８０に、配置されている。
【０１０９】
ベーン２００を回転させて角度を変えることによって、前方風路１８３および後方風路１８４へ流入する空気の流量が変動する。ベーン２００の角度を調整することで、前方風路１８３および後方風路１８４へ流入する空気の流量が調整される。図２０に示す破線の位置から実線の位置へ、ベーン２００を図２０中の反時計回り方向に回転して、ベーン２００を後方へ移動させることで、前吹出し口３へ送られる空気の流量が増加する。または、ベーン２００を図２０中の時計回り方向に回転して前方へ移動させることで、後吹出し口４へ送られる空気の流量が増加する。このように、ベーン２００は、前吹出し口３と後吹出し口４とに送られる空気の流量比率を調整することができる。
【０１１０】
次に、実施の形態の加湿空気清浄機１の作用効果について説明する。
加湿空気清浄機１において、ファン５２およびファンモータ５３の運転に起因する騒音は、送風機５０の前方方向に伝わりやすい。実施の形態の加湿空気清浄機１では、図１，５に示すように、前パネル１０は、筐体２の一部を構成するとともに、ファン５２により送風される空気の送風路である上流風路１６０の壁面の一部を構成しており、実施の形態の外郭部材としての機能を有している。送風機５０の前方に形成される上流風路１６０の前方の壁面が、筐体２の一部である前パネル１０によって構成されているため、筐体２（前パネル１０）に騒音が伝わりやすい。
【０１１１】
そのため、実施の形態の加湿空気清浄機１では、図６，９に示すように、吸音材７０が前パネル１０と支持部材６３とにより挟まれ支持されている。前パネル１０に伝わったファン５２からの発生音の伝播が、吸音材７０によって抑えられる。また、筐体２の振動も、吸音材７０によって抑えられる。したがって、実施の形態の加湿空気清浄機１によれば、騒音を低減することができ、かつ、筐体２の振動を低減することができる。
【０１１２】
また図６，９に示すように、吸音材７０は、前パネル１０と上方壁部材６１とにより挟まれ支持されている。前パネル１０と支持部材６３との間に加えて、前パネル１０と上方壁部材６１との間にも吸音材７０が設けられることにより、騒音および筐体２の振動を、より確実に低減することができる。
【０１１３】
また、図５に示すように、実施の形態の加湿空気清浄機１では、外部へ空気が吹き出る前吹出し口３および後吹出し口４が、筐体２の上部に形成されている。送風機５０から流出する空気が流れる下流風路１７０は、送風機５０の上方に設けられている。下流風路１７０の入口の、ファン５２から送出される空気の流れが交わる箇所においても、騒音が発生しやすい。そのため、図９に示すように、吸音材７０は、ファンモータ５３より上方に配置された部分を有している。騒音の発生する下流風路１７０の根元部分の近傍に吸音材７０を配置することにより、騒音をより効果的に低減することができる。
【０１１４】
また図５に示すように、貯水トレイ３０は、筐体２の下部に配置されている。貯水トレイ３０には水が貯留されている。加湿空気清浄機１が万一転倒した場合、貯水トレイ３０の内部の残水が筐体２の上方へ向かって流れる可能性がある。そのため、実施の形態の加湿空気清浄機１では、図９に示すように、貯水トレイ３０よりも上方かつ電源用基板９０よりも下方に、吸音材７０が配置されている。吸音材７０は吸水材の役割を担うことができ、吸音材７０に到達した水は吸音材７０に吸収される。これにより、吸音材７０を通過して吸音材７０よりも上方の領域に水が浸入することを抑制できるので、吸音材７０より上方に配置された電源用基板９０の信頼性を向上することができる。
【０１１５】
また図６に示すように、ファン５２へ流入する空気の流れに対する通風抵抗を小さくして圧力損失を低減するために、吸気口５７には格子が設けられない。圧力損失を減らすことで、ファンモータ５３の効率が向上し、同風量での静音化、消費電力削減の効果がある。前パネル１０は取り外し不能に構成されているので、格子が設けられなくても、吸気口５７へ前方からアクセスされることはない。
【０１１６】
一方、貯水トレイ３０は取り外し可能に構成されている。貯水トレイ３０が取り外された状態で、加湿空気清浄機１のユーザは、送風機５０の下方の中空空間に手を差し入れることが可能である。加湿空気清浄機１のユーザがファン５２に触れられなくするために、下方からの吸気口５７へのアクセスを制限する必要がある。
【０１１７】
そのため、図６に示すように、実施の形態の加湿空気清浄機１は、吸気口５７よりも上流側、すなわち吸気口５７よりも下方に、吸気口５７の周縁に沿って並べられた複数のリブ８０を備えている。隣り合うリブ８０同士の間隔、および空気の流れ方向におけるリブ８０の長さを適切に設定することで、ユーザが指をリブよりも上方に挿し入れられない構成を実現できる。これにより、ユーザの指がファン５２まで到達することを防止することができる。
【０１１８】
吸気口５７の下方にリブ８０を配置するためには、前パネル１０の背面にリブが設けられても構わない。但し、前パネル１０は装置の外筐を構成する樹脂成型品である。前パネル１０の背面にリブを形成しようとする場合、成型後の収縮によって、リブに対応する位置の前面側に局所的な凹みが発生しやすくなり、この凹みは外観に影響するため好ましくない。凹みを発生させないように前パネル１０を成型するには、前パネル１０の製造工程が増加して、製造コストの増大につながる。または、前パネル１０およびファンケーシング５４と別体にリブを構成してもよいが、この場合も部品点数が増加するためコストの増大を招来する。
【０１１９】
そのため、実施の形態の加湿空気清浄機１では、図６，１０に示すように、複数のリブ８０は、ファンケーシング５４に取り付けられており、前パネル１０へ向かって延びている。ファンケーシング５４は筐体２の内部に収容される部材であるため、リブが加湿空気清浄機１の外観に影響することはない。リブを別部材として設ける必要もないため、製造コストを低減することができる。
【０１２０】
また図１０，１１に示すように、リブ８０は、吸気口５７へ向かう空気の流れ方向の上流端に近づくに従って厚みが小さくなり、空気の流れ方向の下流端に近づくに従って厚みが小さくなっている。このようにリブ８０を翼状形状にすることで、リブ８０の間を通過する空気の流れの圧力損失を低減することができる。
【０１２１】
また、吸気口５７の周縁に沿って並んで配置されるリブ８０が一列のみである場合、指の侵入を確実に防止するために、リブ８０の間隔を狭くしたり、リブ８０の厚みを大きくする必要がある。この場合、圧力損失の低減効果が小さくなる。厚みの大きいリブ８０を樹脂成型する場合、成形時間を長く必要とする。
【０１２２】
そのため、実施の形態の加湿空気清浄機１では、図１０，１１に示すように、複数のリブ８０は、第１リブ群８１と、第１リブ群８１よりも吸気口５７の近くに配置された第２リブ群８６とを含んでいる。第２リブ群８６に含まれる第２リブ８７は、第１リブ群８１に含まれる第１リブ８２のうちの隣り合う２つの第１リブ８２の間に、配置されている。このようにすれば、第１リブ８２の間隔を広げて空気の流路断面積を拡大できるので、圧力損失を低減することができる。隣り合う２つの第１リブ８２の間の隙間８３に指が侵入しても、指の第１関節まで侵入する前に第２リブ８７によって侵入を阻まれるため、第１リブ８２の間隔を広げても指の侵入を確実に防止することが可能である。
【０１２３】
吸気口５７の周縁に沿う方向における第１リブ８２の間隔は、１０ｍｍ以上１５ｍｍ以下であってもよい。第１リブ８２の間隔が１０ｍｍ未満であると、第１リブ８２の間を通過する空気の圧力損失が大きくなる。第１リブ８２の間隔が１５ｍｍを超えると、第１リブ８２の間の隙間８３に指が入りやすくなり、隙間８３を広げる向きの力を第１リブ８２に作用することが可能になるため、ユーザの指がファン５２にまで到達する虞が生じる。
【０１２４】
第２リブ群８６が第１リブ群８１よりも吸気口５７の近くにずれたオフセット距離は、ユーザの指の指先から第１関節までの長さに対応して設定される。たとえばオフセット距離は、１０ｍｍ以上３０ｍｍ以下であってもよい。オフセット距離は、１５ｍｍ以上２０ｍｍ以下であってもよい。
【０１２５】
また図１１に示すように、第１リブ８２の下流端８２Ｂにおける側面８４と、第２リブ８７の上流端８７Ａにおける側面８９とは、互いに向き合っている。第１リブ８２の側面８４が第１リブ８２の延在方向に対して傾斜する角度と、第２リブ８７の側面８９が第２リブ８７の延在方向に対して傾斜する角度とを等しくして、第１リブ８２の側面８４と第２リブ８７の側面８９とを略平行に配置することで、第１リブ８２の間の隙間８３から第２リブ８７の間の隙間８８へ流れる空気の圧力損失を低減することができる。
【０１２６】
互いに向き合う第１リブ８２の側面８４と第２リブ８７の側面８９との距離は、リブの根元部分で６ｍｍ、リブの先端で７ｍｍとしてもよい。
【０１２７】
また図１１に示すように、第１リブ８２の下流端８２Ｂにおける側面８４が第１リブ８２の延在方向に対して傾斜する角度は３０°以下であり、第２リブ８７の上流端８７Ａにおける側面８９が第２リブ８７の延在方向に対して傾斜する角度は３０°以下である。第１リブ８２の側面８４および第２リブ８７の側面８９の傾斜角度が３０°を超えると、第１リブ８２の間の隙間８３、または第２リブ８７の間の隙間８８を流れる空気の流れに剥離が生じて渦が発生し、圧力損失が大きくなる。傾斜角度を３０°以下にすることで、剥離の発生を抑制して、圧力損失を低減することができる。
【０１２８】
また図１１に示すように、複数の第１リブ８２は、その延在方向が互いに平行であるように配置されている。このように第１リブ８２を配置することで、第１リブ８２の間の隙間８３が均等に形成されるので、隙間８３を通り抜けてユーザの指が差し入れられる事態を、より確実に防止することができる。
【０１２９】
また図１２に示すように、吸気口５７の周縁に沿って並べられた複数の第１リブ８２および第２リブ８７のうち、列の端にあるリブを比較すると、ファン５２の径方向に対して第１リブ８２が傾斜する角度よりも、第２リブ８７が傾斜する角度のほうが小さい。上述した通り、第１リブ８２は平行に配置されるのが望ましい。これに対し第２リブ８７は、第１リブ８２の隙間８３に侵入した指を上流端８７Ａでせき止められればよく、第２リブ８７の延在方向が第１リブ８２の延在方向と非平行であってもよい。第２リブ８７の延在方向がファン５２の径方向に対してなす角度をより小さくすることで、第２リブ８７の間の隙間８８を通過する空気を、吸気口５７に向かうように整流することができる。したがって、吸気口５７へ導かれる空気の流量を増やすことができる。
【０１３０】
また図６に示すように、貯水トレイ３０に隣り合って、貯水トレイ３０内の水位を検知するフロート位置検知基板９１と、右リブ９２および左リブ９３とが配置されている。右リブ９２、フロート位置検知基板９１、および左リブ９３は、この順に並んで配置されている。右リブ９２および左リブ９３は、フロート位置検知基板９１から離れるにつれて上下方向の位置が低くなるように、上下方向に対して傾斜している。
【０１３１】
フロート位置検知基板９１は、貯水トレイ３０内の水が少なくなったこと、および／または貯水トレイ３０内の水がなくなったことを検知するため、貯水トレイ３０内の満水時の水面よりも下方に配置される。加湿空気清浄機１が万一転倒した場合、貯水トレイ３０の内部の残水がフロート位置検知基板９１へ向かって流れる可能性がある。実施の形態の加湿空気清浄機１では、傾斜して配置されている右リブ９２および左リブ９３が設けられていることにより、貯水トレイ３０からこぼれた水は右リブ９２および左リブ９３の傾斜に沿って流れ、こぼれた水が直ちにフロート位置検知基板９１に届くことを抑制できる。したがって、加湿空気清浄機１のユーザが転倒に気づいて起こすまでの短時間内でのフロート位置検知基板９１の水没を、避けることができる。
【０１３２】
また図６に示すように、右リブ９２に交差する縦リブ９４が設けられている。左リブ９３に交差する縦リブ９４が設けられている。縦リブ９４を設けることによって、右リブ９２および左リブ９３の強度を向上することができる。
【０１３３】
また図１４に示すように、右リブ９２と縦リブ９４との交点において、縦リブ９４の交点上側に切欠き９５が形成されている。右リブ９２の傾斜に沿って流れた水が縦リブ９４に到達したときに、切欠き９５が形成されていることにより、切欠き９５を経由して水は右リブ９２に沿ってさらに流れて、フロート位置検知基板９１からより離れる。したがって、フロート位置検知基板９１に水が届くことをより抑制できるので、フロート位置検知基板９１の水没をより確実に回避することができる。
【０１３４】
また図１７，１８に示すように、放電部１０２，１０３が配置されている下流風路１７０が前方風路１８３と後方風路１８４とに分岐する分岐部１８０に、ベーン２００が設けられている。図１９に示すように、ベーン２００の延在方向における一方の縁部と他方の縁部との長さが異なっている。左縁部２０１は、右縁部２０３よりも長く形成されている。
【０１３５】
筐体２からの空気の吹出し口へ向かう風路が前後方向に分岐し、前側の風路に流入する空気中の活性種（イオン）の濃度と後側の風路に流入する空気中の活性種（イオン）の濃度とにアンバランスが生じる場合がある。図１７に示す実施の形態では、放電部１０２，１０３が左右方向に対して傾く方向に並んで配置されていることにより、濃度アンバランスが発生している。このような濃度アンバランスが発生する風路の分岐部に、図１９に示すような左右の高さが異なるベーン２００を設けることにより、濃度バランスを調整することができる。
【０１３６】
また図２０に示すように、ベーン２００が回転軸２１０を有している構成とすれば、回転軸２１０を中心にベーン２００を回転移動させることで、前側の風路に流入する空気と後側の風路に流入する空気との流量バランスを調整できる。したがって、前吹出し口３と後吹出し口４とに送られる風量の比率を自在に調整することができる。
【０１３７】
以上のように各実施の形態について説明を行なったが、各実施の形態を適宜組み合わせてもよい。また、今回開示された実施の形態は全ての点で例示であって制限的なものではないと考えられるべきである。本発明の範囲は上記した説明ではなくて請求の範囲によって示され、請求の範囲と均等の意味および範囲内での全ての変更が含まれることが意図される。
【符号の説明】
【０１３８】
１  加湿空気清浄機、２  筐体、２Ａ  前面、２Ｂ  背面、２Ｃ  右側面、２Ｄ  左側面、２Ｅ  上面、３  前吹出し口、４  後吹出し口、５  操作部、７  前ルーバー、８  後ルーバー、１０  前パネル、１３〜１５，１９  切欠き、１６  開口、２０  後パネル、２１  通気口、２２，２４，２５  窪み部、２６  カバー、３０  貯水トレイ、３１  トレイ本体、３２  加湿フィルタ、３３  抗菌剤、３４  フロート、４１  フィルタ、５０  送風機、５２  ファン、５３  ファンモータ、５４  ファンケーシング、５６  対向面、５７  吸気口、６１  上方壁部材、６２，６８  側方壁部材、６３  支持部材、６４  補強部、７０  吸音材、８０  リブ、８１  第１リブ群、８２  第１リブ、８２Ａ，８７Ａ  上流端、８２Ｂ，８７Ｂ  下流端、８３，８８  隙間、８４，８９  側面、８６  第２リブ群、８７  第２リブ、９０  電源用基板、９１  フロート位置検知基板、９２  右リブ、９３  左リブ、９４  縦リブ、９５  切欠き、１００  高圧発生ユニット、１０１  ユニット筐体、１０２，１０３  放電部、１０４，１０６  電極保護部、１０５Ａ，１０７Ａ  梁部、１０５Ｂ，１０５Ｃ，１０５Ｄ，１０７Ｂ，１０７Ｃ，１０７Ｄ  支柱、１１０  ホルダ、１２０  イオン量検知基板、１３０  ホルダ受部、１５０  下降風路、１６０  上流風路、１７０  下流風路、１７２，１７４  風路壁面、１８０  分岐部、１８３  前方風路、１８４  後方風路、２００  ベーン、２０１  左縁部、２０２  先端縁部、２０３  右縁部、２１０  回転軸。
【図１】
2019038949.tif 000003
【図２】
2019038949.tif 000004
【図３】
2019038949.tif 000005
【図４】
2019038949.tif 000006
【図５】
2019038949.tif 000007
【図６】
2019038949.tif 000008
【図７】
2019038949.tif 000009
【図８】
2019038949.tif 000010
【図９】
2019038949.tif 000011
【図１０】
2019038949.tif 000012
【図１１】
2019038949.tif 000013
【図１２】
2019038949.tif 000014
【図１３】
2019038949.tif 000015
【図１４】
2019038949.tif 000016
【図１５】
2019038949.tif 000017
【図１６】
2019038949.tif 000018
【図１７】
2019038949.tif 000019
【図１８】
2019038949.tif 000020
【図１９】
2019038949.tif 000021
【図２０】
2019038949.tif 000022
【国際調査報告】
2019038949.tif 000023
2019038949.tif 000024
2019038949.tif 000025
2019038949.tif 000026